(57)【要約】【課題】  従来の胴輪は、ペットの胸部をサポートする幅広の帯状体の位置が変更できずペットの個体差に対応できなかった。【解決手段】  ペットの胸部にあてがう筒状の胸当１と、この胸当１の内部に挿通する帯状体２と、この帯状体２と引き紐を直接又は間接に連結するリード連結手段３とを備え、前記胸当１を前記帯状体２に対してペットの胴回りの方向と交差する向きにスライド可能に取り付けたペット用胴輪Ｈである。【効果】  胸当１が広い面積でペットの胸部に対応するので、引き紐からペットに伝わる力は分散され、細いベルトがペットの体に食い込むことはないので、ペットに負担がかからない。加えて、筒状の胸当１を帯状体２に対してスライド可能に取り付けたので、ペットの個体毎に胸部の位置が異なっていても、胸当１の位置を自在に変更できる。【選択図】  図１
2011092183.tif 000002
【特許請求の範囲】
【請求項１】
ペットの胸部にあてがう筒状の胸当と、前記胸当の内部に挿通する帯状体と、前記帯状体と引き紐を直接又は間接に連結するリード連結手段とを備え、前記胸当を前記帯状体に対してペットの胴回りの方向と交差する向きにスライド可能に取り付けたことを特徴とするペット用胴輪。
【請求項２】
前記帯状体は夫々環状に形成された２本の帯状部からなり、これら帯状部の一部を前記胸当の内部に挿通すると共に、前記帯状部のペットの背部側となる位置に前記リード連結手段を取り付けたことを特徴とする請求項１に記載のペット用胴輪。
【請求項３】
前記帯状体は２本の帯状部からなり、これら帯状部を前記胸当内で交差して挿通すると共に、
前記胸当の一方の開口部から延出した一方の帯状部の端部と、他方の開口部から延出した他方の帯状部の端部を接合した接合部を夫々設け、
前記接合部に前記リード連結手段を取り付けたことを特徴とする請求項１に記載のペット用胴輪。
【請求項４】
前記胸当の両開口部を仕切って２分した小開口部を設け、前記帯状部は前記小開口部から夫々延出させたことを特徴とする請求項２又は３に記載のペット用胴輪。
【請求項５】
前記リード連結手段は前記帯状体に取り付けたベルト部材からなり、前記ベルト部材同士を所要の位置で挟んで固定するスライド式固定具を備えたことを特徴とする請求項１〜４の何れかに記載のペット用胴輪。
【請求項６】
前記ベルト部材の内側面に面ファスナーを設けたことを特徴とする請求項５に記載のペット用胴輪。
【請求項７】
前記胸当の下端部に、ペットの胴部に巻き付けて固定する帯状の腹帯を取り付けたことを特徴とする請求項１〜６の何れかに記載のペット用胴輪。
【発明の詳細な説明】
【技術分野】
【０００１】
本発明は、例えば猫、犬、うさぎ等のペット（愛玩動物）を散歩させる際などに使用する胴輪に関する。
【背景技術】
【０００２】
従来、例えば、図２０（ａ）に示すように、ペットの首部と胴部に対応させて一対の帯状部１０１ａ，１０１ｂを設け、これら帯状部１０１ａ，１０１ｂの両端に連結部材１０２ａ，１０２ｂを夫々設けると共に、連結部材１０２ａ、１０２ｂに引き紐（リード）を接続するためのベルト部材１０３ａ，１０３ｂと連結環１０４ａ，１０４ｂを設けた構成のペット用胴輪１００が利用されていた（例えば特許文献１）。帯状部１０１ａ，１０１ｂの中間部の間には、これら帯状部１０１ａ，１０１ｂが使用中に一定の間隔以上に広がらないように、連結ベルト１０５が連結されている。
【０００３】
このような胴輪１００は、図２０（ｂ）に示すように、帯状部１０１ａ，１０１ｂをペット１０６の首部１０７と胴部１０８に取り付けて使用するものであるが、帯状部１０１ａ，１０１ｂ及び連結ベルト１０５が幅の狭い部材で構成されているため、引き紐１０９に大きな力が加わると、帯状部１０１ａ，１０１ｂや連結ベルト１０５がペット１０６の体に食い込み、ペット１０６に苦痛を与えるという問題点があった。
【０００４】
そこで、従来、図２１（ａ）に示すように、ペットの肩に対応する第１の帯状部２０１と、ペットの腹部に対応する第２の帯状部２０２の中間部の間に幅広の帯状体２０３を設けたペット用胴輪２００が提案されていた（例えば特許文献２）。なお、２０４は、第１の帯状体２０１の両端部に取り付けた紐状部を、２０５は、第２の帯状体２０２の両端部に設けられた、紐状部２０４を挿通する挿通孔を、２０６は、引き紐２０７を取付けるための連結部材を示している。
【０００５】
この従来のペット用胴輪２００によれば、一体に形成された幅広の帯状体２０３と帯状部２０１，２０２によって引き紐からペットに伝わる力が分散されるので、細いベルトを用いる場合と比較すると、ペットの負担が緩和される。
【０００６】
ところで、ペットは、同じ品種でも個体毎に体型にばらつきがあり、胸部についても、標準的な位置よりも頭部寄りに付いている個体もあれば、逆に腹部寄りに付いている個体もある。
【０００７】
しかしながら、従来のペット用胴輪２００は、使用状態を表した図２１（ｂ）に示すように、幅広の帯状体２０３の位置が固定されているため、ペットの個体毎に胸部の位置が異なっていても、それには対応出来ないという問題があった。
【０００８】
近年、例えば猫についても胴輪を利用するユーザが増えているが、特に猫の場合、体が非常に柔らかいため、胸部の位置が合っていない胴輪を使用していると、胴輪から抜け出してしまう虞がある。
【先行技術文献】
【特許文献】
【０００９】
【特許文献１】特開２００１−６９８６９号公報
【特許文献２】特開２００９−１２４９５８号公報
【発明の概要】
【発明が解決しようとする課題】
【００１０】
本発明が解決しようとする問題点は、従来のペット用胴輪では、ペットの胸部をサポートする幅広の帯状体の位置を変更できなかった点である。
【課題を解決するための手段】
【００１１】
上記の課題を解決するため、本発明のペット用胴輪は、
ペットの胸部にあてがう筒状の胸当と、前記胸当の内部に挿通する帯状体と、前記帯状体と引き紐を直接又は間接に連結するリード連結手段とを備え、前記胸当を前記帯状体に対してペットの胴回りの方向と交差する向きにスライド可能に取り付けたことを最も主要な特徴としている。
【発明の効果】
【００１２】
本発明では、胸当が広い面積でペットの胸部に対応するので、引き紐からペットに伝わる力は分散され、細いベルトがペットの体に食い込むことはないので、ペットに負担がかからない。加えて、筒状の胸当を帯状体に対してスライド可能に取り付けたので、ペットの個体毎に胸部の位置が異なっていても、胸当の位置を自在に変更できる。
【図面の簡単な説明】
【００１３】
【図１】本発明の第１実施例のペット用胴輪の全体構成を説明する図である。
【図２】第１実施例のペット用胴輪の胸当が帯状体に対してスライド可能であることを説明する図で、（ａ）は標準の位置に、（ｂ）はペットの頭部寄りの位置に、（ｃ）はペットの腹部寄りの位置にスライドさせた状態を示す図である。
【図３】小開口部を有した胸当と、帯状体の変形例を説明する図で、（ａ）は２本の帯状部を胸当内で交差して挿通する場合の構成、（ｂ）は環状に形成された２本の帯状部とする場合の構成を示した図である。
【図４】胸当の作成手順の一例を説明する図で、（ａ）は２枚の生地及びキルティングを重ねた状態、（ｂ）は上下にステッチを入れた状態、（ｃ）は左右に２つ折りにして合わせ側にステッチを入れた状態、（ｄ）は胸当の左右両サイドに窪みを付けるためのステッチを入れた状態、（ｅ）は生地を裏返した状態を示した図である。
【図５】第１実施例のペット用胴輪に使用するスライド式固定具の説明図で、（ａ）は下方から見た状態、（ｂ）は作動片を開放させてベルト部材に沿って移動可能な状態、（ｃ）はベルト部材の所要の位置で固定させた状態を示した図である。
【図６】第１実施例のペット用胴輪を猫に着用した状態を示す図で、（ａ）は正面方向、（ｂ）は側面方向、（ｃ）は背面方向から見た状態の図である。
【図７】本発明の第２実施例のペット用胴輪の全体構成を説明する図である。
【図８】第１実施例のペット用胴輪のベルト部材が（ａ）〜（ｃ）の順に左右方向に交互に強く引っ張られる動作が繰り返された場合の問題点を説明する図である。
【図９】第２実施例のペット用胴輪の構成を説明する図で、（ａ）は面ファスナーを係止させていない状態、（ｂ）はスライド式固定具で固定した後に面ファスナーを係止させた状態を示した図である。
【図１０】第２実施例のペット用胴輪に用いるカバーの構成を説明する図である。
【図１１】本発明の第３実施例のペット用胴輪の全体構成を説明する図である。
【図１２】本発明の第４実施例のペット用胴輪の全体構成を説明する図で、（ａ）は左右の腹帯の先端付近に設けた面ファスナーを係止した状態を、（ｂ）は面ファスナーを分離した状態を示した図である。
【図１３】面ファスナーを係止した第４実施例のペット用胴輪の、（ａ）左側面図と（ｂ）右側面図を示した図である。
【図１４】第４実施例のペット用胴輪を猫に着用した状態を示す図ある。
【図１５】一端に環状部材を取り付けた第４実施例に用いるベルト部材の構成を説明する図である。
【図１６】生地の端にパイピング生地を取り付けた第４実施例に用いる帯状体の構成を説明する図である。
【図１７】第４実施例の胴輪の作成手順の一例を説明する図で、（ａ）は胸当の生地の周囲にパイピングを施した状態、（ｂ）は胸当の生地の中央部の下端に腹帯を縫合した状態、（ｃ）は胸当の生地の左右両端を縫い合わせた状態、（ｄ）は胸当の左右両サイドに窪みを付けるためのステッチを入れた状態、（ｅ）は生地を裏返して胸当の部分が完成した状態を示した図である。
【図１８】第４実施例の胴輪を広げた状態を示した図である。
【図１９】左右の帯状体を接合した接合部の形状の違いを説明する図で、（ａ）は第１実施例の接合部、（ｂ），（ｃ）は第４実施例の接合部の形状を示した図である。
【図２０】従来のペット用胴輪の説明図で、（ａ）は全体構成、（ｂ）はペットに着用した状態を示した図である。
【図２１】従来のペット用胴輪の他の一例の説明図で、（ａ）は全体構成、（ｂ）はペットに着用した状態を示した図である。
【発明を実施するための形態】
【００１４】
本発明のペット用胴輪は、ペットの個体毎に胸部の位置が異なる点にも対応可能な胴輪を提供するという目的を達成するために、ペットの胸部にあてがう筒状の胸当と、前記胸当の内部に挿通する帯状体と、前記帯状体と引き紐を直接又は間接に連結するリード連結手段とを備え、前記胸当を前記帯状体に対してペットの胴回りの方向と交差する向きにスライド可能に取り付けた構成を採用した。
【００１５】
リード連結手段は、帯状体と引き紐を連結するための手段である。例えば、Ｕ字状のベルト部材のみ、或いは連結金具のみを帯状体の所要位置に取り付けた構成をリード連結手段とし、引き紐と直接に連結するように構成しても良い。また、ベルト部材にリング部材を挿通すると共にベルト部材の両端部を帯状体に取り付けた構成をリード連結手段とし、リング部材に引き紐を連結させて、引き紐と間接に連結するように構成しても良い。何れの構成を採用するかは、引き紐側の構成に応じて適宜決定すれば良い。
【実施例】
【００１６】
以下、本発明を実施するための各種の形態と共に最良の形態を、図１〜図１９を用いて詳細に説明する。
【００１７】
図１に示すように、第１実施例のペット用胴輪Ｈは、ペットの胸部にあてがう筒状の胸当１と、この胸当１の内部に挿通する帯状体２と、この帯状体２と引き紐をリング部材５を介して間接に連結するリード連結手段３とを備えた構成である。胸当１は、ペットの胸部全体に対応するように、生地を筒状にして側面が広い面積となるように形成したものであり、かつ、帯状体２に対して、ペットの胴回りの方向（図１の左右方向）と交差する向き（図１の上下方向）に、スライド可能に取り付けられている。
【００１８】
胸当１は筒状に形成されており、上下に開口部１１，１２を有している。１３はリボンの形状からなる装飾部であるが、これを胸当１の上方に取り付けることにより、ユーザが胸当１の上下を判別し易いという効果がある。
【００１９】
帯状体２は、２本の帯状部２ａ，２ｂからなり、これら帯状部２ａ，２ｂは胸当１の内部で交差している。そして、胸当１の一方の開口部１１から延出した一方の帯状部２ａの端部２ａ１と、他方の開口部１２から延出した他方の帯状部２ｂの端部２ｂ１を重ね合わせて縫合することにより接合し、接合部２１を設けている。
【００２０】
また、帯状部２ａの他方の端部２ａ２と、帯状部２ｂの他方の端部２ｂ２に関しても同様に、重ね合わせて縫合することにより接合し、接合部２２を設けている。
【００２１】
リード連結手段３は、ベルト状のベルト部材３１からなり、ベルト部材３１の両端部は帯状体２の接合部２１，２２に、夫々縫合して取り付けられている。そして、ベルト部材３１には、ベルト部材３１同士を所要の位置で挟んで固定するスライド式固定具４と、引き紐と連結するためのリング部材５が挿通されている。
【００２２】
第１実施例のペット用胴輪Ｈでは、接合部２１，２２を縫合したときに十分な強度が得られるように、帯状部２ａの両端部２ａ１，２ａ２と、帯状部２ｂの両端部２ｂ１，２ｂ２は、図１に示すように、帯状部２ａ，２ｂの中間部よりも幅広の形状としている。これに対し、帯状部２ａ，２ｂの中間部は、胴輪Ｈを着用した時にペットの前足の付け根付近に位置する部分であるため、ペットの前足の動きを阻害することがないように、両端部２ａ１，２ａ２や両端部２ｂ１，２ｂ２よりも細幅とし、胴輪Ｈを着用した状態でもペットが動き易いようにしている。
【００２３】
図２は、胸当１が帯状体２に対してスライド可能であることを説明する図である。（ａ）では、胸当１は帯状部２ａ，２ｂの中央の位置にある。ペットの胸部が標準的な位置である場合、胸当１は（ａ）に示すように中央の位置で使用する。
【００２４】
一方、ペットの胸部の位置が頭部寄りである場合、ユーザは、（ｂ）に示すように、胸当１を帯状部２ａ，２ｂの中央の位置よりもペットの頭部側の方向（図２の上方向）にスライドさせた状態で使用する。また、ペットの胸部の位置が腹部寄りである場合は、（ｃ）に示すように、胸当１を帯状部２ａ，２ｂの中央の位置よりもペットの腹部側の方向（図２の下方向）にスライドさせた状態で使用する。
【００２５】
図３は、胸当１と帯状体２の変形例を説明する図で、胸当１及び帯状体２を内側面から見た状態を示している。変形例（ａ）が図１の第１実施例と異なる点は、両開口部１１，１２を仕切って２分した小開口部１１ａ，１１ｂ，１２ａ，１２ｂを設けた点である。開口部１１，１２を仕切る方法としては、開口部１１，１２の中央付近の位置１１ｃ，１２ｃにおいて前後の生地を縫い合わせる方法を用いた。
【００２６】
変形例（ａ）では、帯状体２は２本の帯状部２ａ，２ｂからなり、これら帯状部２ａ，２ｂを胸当１内で交差して挿通すると共に、胸当１の小開口部１１ａから延出した帯状部２ａの端部２ａ１と、小開口部１２ａから延出した帯状部２ｂの端部２ｂ１を接合した接合部２１を設けている。さらに、胸当１の小開口部１１ｂから延出した帯状部２ｂの端部２ｂ２と、小開口部１２ｂから延出した帯状部２ａの端部２ａ２を接合した接合部２２を設けている。なお、図示を省略しているが、接合部２１，２２にはリード連結手段３（ベルト部材３１の端部）が取付けられる。
【００２７】
このように、開口部１１，１２を仕切って２分した小開口部１１ａ，１１ｂ，１２ａ，１２ｂから帯状部２ａ，２ｂを延出するように構成すれば、開口部が帯状部２ａ，２ｂの幅に適合したサイズとなるため、胸当１の内部で帯状部２ａ，２ｂが不必要に横方向に動くのを防止できる。また、開口部が帯状部２ａ，２ｂの幅に適合したサイズとなって、胸当１のスライドも適度に抑制されるため、胸当１を位置決め後、使用中にずれてしまう虞も低減できる。
【００２８】
変形例（ｂ）では、帯状体２は、夫々環状に形成された２本の帯状部２ｃ，２ｄからなり、これら帯状部２ｃ，２ｄの一部を胸当１の内部に挿通すると共に、帯状部２ｃ，２ｄの、胴輪Ｈをペットに着用時にペットの背部側となる位置に、リード連結手段３を取り付ける構成としている。具体的には、図３（ｂ）の例では、帯状部２ｃの両端部２ｃ１，２ｃ２を縫合した接合部２１と、帯状部２ｄの両端部２ｄ１，２ｄ２を縫合した接合部２２が、着用時にペットの背部側となる位置であり、この接合部２１，２２にベルト部材３１の両端部を例えば縫合により取り付ける。なお、開口部１１，１２については、（ａ）と同様、小開口部１１ａ，１１ｂ，１２ａ，１２ｂに分割する構成としている。
【００２９】
変形例（ａ），（ｂ）の何れの構成であっても、胸当１が帯状体２に対してスライド自在となる作用が得られる点は同じであるが、本発明では、帯状部２ａ，２ｂを胸当１内で交差して挿通する変形例（ａ）の構成を採用する方が、より好ましい。引き紐から伝わる力が帯状部２ａ，２ｂにバランス良く伝わりフィット性が向上する上、帯状部２ａ，２ｂを胸当１内で交差した状態となっている方が、胸当１が位置決め後にずれにくくなるからである。
【００３０】
図４は、胸当１の作成手順の一例を説明する図である。先ず、（ａ）に示すように、２枚の生地１４ａ，１４ｂ（材質は例えば綿、デニム等を使用する）を中表にして重ね、更にキルティング１４ｃを重ねた状態とする。
【００３１】
次に、（ｂ）〜（ｃ）に示すように、重ね合わせた３枚の生地１４ａ〜１４ｃの上下の位置に左右方向にステッチ１５ａを入れ、左右方向に２つ折りにした後、合わせ側に上下方向にステッチ１５ｂを入れる。
【００３２】
続いて、（ｄ）に示すように、（ｃ）で上下方向にステッチ１５ｂを入れた部分を中央にして左右両サイドに窪みを付けるための弧状のステッチ１５ｃを入れる。そして、このステッチ１５ｃの外側の部分１６は不要部分となるため、ハサミ等で切除する。また、両開口部１１，１２を１１ｃ，１２ｃの位置で縫合によって仕切って２分した小開口部１１ａ，１１ｂ及び１２ａ，１２ｂを設ける。最後に（ｅ）に示すように、生地を裏返して表側を表にし、胸当１が完成する。
【００３３】
第１実施例のペット用胴輪Ｈでは、図４（ｅ）に示すように、胸当１の中央部分１７の径Ｒ１が両開口部１１，１２の径Ｒ２よりも小さく、中央部部分１７が括れた形状の胸当１を使用した。このようにすれば、胸当１の内部で帯状部２ａ，２ｂの動きが適度に抑制されて胸当１の使用中のずれを防止できる上、ペットの前足の間の胸部にフィットさせ易い形状となるので、極めて好適である。また、胸当１は、図４（ａ）に示すように、２枚の生地１４ａ，１４ｂに加えてキルティング１４ｃを用いる構成とする方が、胸当１にクッション性が得られ、ペットの胸部の負荷を緩和できる点では好ましい。
【００３４】
図５は、スライド式固定具４の構成を説明する図である。（ａ）に示すように、スライド式固定具４は、ベルト部材３１を挟んで拘束する作動片４１ａ，４１ｂと、指で挟んで力を加える部位である操作片４２ａ，４２ｂを備えた左右の部材が支軸４３によって軸支されている。さらに、巻きバネ４４の作用により、操作片４２ａ，４２ｂ側が離反し、作動片４１ａ，４１ｂには常に閉鎖方向に力が働いている。なお、ベルト部材３１は、作動片４１ａ，４１ｂ及び操作片４２ａ，４２ｂの間に挿通される。
【００３５】
図５（ｂ）は、操作片４２ａ、４２ｂの間を、例えば親指と人差し指によって力を加えて狭め、作動片４１ａ，４１ｂの拘束を解除した状態を示した図である。この状態において、スライド式固定具４は、ベルト部材３１の所要の位置に移動させることができる。
【００３６】
本発明のペット用胴輪Ｈをペットに装着するときは、先ず、ペットの両前足を帯状体２ａ，２ｂの輪状になっている部分に夫々通してから、胸当１をペットの胸部にあてがい、続いて、帯状体２をペットの胸部から背部側にかけて沿わせ、ベルト部材３１に取り付けたスライド式固定具４をペットの背部に最も近付けた位置に移動させ、（ｃ）に示すように、操作片４２ａ、４２ｂから手を離してスライド式固定具４を固定する。
【００３７】
こうすることにより、接合部２１，２２間の距離が近付いた状態で固定できるので、ペットの胴部に対し、胴輪Ｈをきっちりと装着できる。また、胴輪Ｈのサイズに対してペットの体のサイズがやや大きい場合は、スライド式固定具４を固定する位置をベルト部材３１の先端側に若干移動させて、接合部２１，２２間の距離を調節することにより、サイズの微調整ができる。したがって、例えばＳ，Ｍ，Ｌ，ＬＬの４サイズの規格で胴輪Ｈを販売する場合でも、各サイズ毎にスライド式固定具４の固定位置によるサイズの微調整ができるので、ペットの体のサイズの違いに対して、きめ細かく対応できる。
【００３８】
図６は、第１実施例のペット用胴輪Ｈを猫Ｃに着用させた状態を示す図で、（ａ）は正面方向、（ｂ）は側面方向、（ｃ）は背面方向から見た状態の図である。第１実施例のペット用胴輪Ｈは、上記の通りの構成を採用したので、その個体にとって最も適切な位置に胸当１をスライドさせることができる。また、スライド式固定具４を適宜移動させれば、ペットの体のサイズが大きい場合でも対応できるので、体が柔らかい猫Ｃであっても、胴輪Ｈからの抜け出しを確実に防止できる。
【００３９】
図７は、本発明の第２実施例のペット用胴輪Ｈの全体構成を説明する図である。第２実施例において特徴的な構成は、ベルト部材３１の内側面に面ファスナー３ａ，３ｂを設けた点と、スライド式固定具４を覆うカバー６を設けた点である。なお、７は、夜間の散歩時などに光を反射してドライバーから目立つようにするために、ベルト部材３１の先端に取り付けた反射体を示している。
【００４０】
図８は、第１実施例のペット用胴輪Ｈのベルト部材３１が左右方向に強く引っ張られる動作が繰り返された場合の問題点を説明する図である。
【００４１】
スライド式固定具４は、胴輪Ｈをペットに装着した時点では、ペットの背部に最も近い位置に固定するが、（ａ）に示すように、引き紐が右方向に強く引かれると、矢印Ｘの方向に若干ずれが生じてしまう。また、（ｂ）に示すように、引き紐が左方向に強く引かれると、スライド式固定具４の固定位置が矢印Ｙの方向にずれてしまう。さらに、（ｃ）に示すように、引き紐が右方向に強く引かれると、スライド式固定具４は再び矢印Ｘの方にずれてしまう。
【００４２】
これは、引き紐が左右に交互に引かれる動作が繰り返されると、ベルト部材３１同士が逆方向に摺れながらずれる量が徐々に増えるために生じる現象である。そして、（ｃ）においては、矢印Ｚで示す部分の間隔が完全に広がってしまい、ペットが逃げ出してしまうおそれがある。
【００４３】
そこで、本発明では、図９（ａ）に示すように、ベルト部材３１の内側面に面ファスナー３ａ，３ｂを設けた構成とすることがより好ましい。
【００４４】
すなわち、第２実施例のペット用胴輪Ｈをペットに装着する場合は、先ず（ａ）に示すように、面ファスナー３ａ，３ｂを係止させていない状態で装着し、スライド式固定具４をペットの背部に最も近接させた位置に移動させて固定した後、（ｂ）に示すように、面ファスナー３ａ，３ｂを係止状態とする。このようにすれば、引き紐が左右に交互に引かれる動作が繰り返されても、ベルト部材３１同士は面ファスナー３ａ、３ｂの作用によって係止されているので、逆方向に摺れながらずれる量が序々に増える現象は生じない。そのため、帯状部２ａ，２ｂ間の距離が広がることはなく、ペットが胴輪Ｈから抜け出してしまうトラブルを確実に防止できる。
【００４５】
面ファスナー３ａ，３ｂをベルト部材３１の内側面に設ける場合、ベルト部材３１と帯状体２の接合部２１，２２に近接させた位置に設ける方が良い。但し、スライド式固定具４を固定する予定位置の内側面３２は避けるようにする。第２実施例では、ベルト部材３１と帯状部２ａ，２ｂの接合部２１，２２から２ｃｍ空けた位置から長さ６ｃｍの面ファスナー３ａ，３ｂをベルト部材３１の先端方向に向けて縫合して取り付けている。なお、一方の面ファスナー３ａには、鈎型あるいはキノコ型等の素子を有する面ファスナー雄材が使用されており、他方の面ファスナー３ｂには、面ファスナー３ａと係止可能なループ型の素子を有する面ファスナー雌材が使用されている。
【００４６】
上記のように構成すれば、スライド式固定具４の作動片４１ａ，４１ｂの上部に、面ファスナー３ａ，３ｂの厚みの分だけ段差ができ、その段差によってスライド式固定具４の移動を防止する効果が得られる。
【００４７】
図１０は、第２実施例のペット用胴輪Ｈにおいて使用するカバー６の構成を説明する図である。カバー６は、任意の形状からなる布製のカバー体６１からなり、カバー体６１の中央にはベルト部材３１を挿通するスリット状の孔６２を設けている。使用時には、孔６２の部分にベルト部材３１の先端部を挿通し、カバー体６１をペットの背部側に移動させて、カバー６を、最適な位置で固定したスライド式固定具４の上方から覆い被せるようにする。
【００４８】
このようなカバー６を用いれば、スライド式固定具４全体を上方から覆うことができるので、ペット及びユーザにとって安全である。また、カバー体６１にはユーザの好みに合った任意のデザインを施すことができるので、複数のカバー６を準備してその日の気分に応じて気に入ったものを選択するようにすれば、胴輪Ｈの本体は同じであっても、種々のバリエーションが楽しめる。
【００４９】
図１１は、帯状体２が１本で構成された本発明の第３実施例のペット用胴輪Ｈの全体構成を説明する図である。
【００５０】
第３実施例のペット用胴輪Ｈは、帯状体２は中間部２３でＵ字状に折り返されて両半部２４ａ，２４ｂを胸当１に挿通すると共に、これら半部２４ａ，２４ｂの端部２４ａ１，２４ｂ１に、帯状体２と引き紐と直接に連結するリード連結手段３として環状体３２ａ，３２ｂを夫々取り付け、前記中間部２３に前記半部２４ａ，２４ｂの端部２４ａ１，２４ｂ１側を挿通する挿通部８を取り付けた構成である。
【００５１】
胸当１は、両開口部１１，１２を仕切って２分した小開口部１１ａ，１１ｂ，１２ａ，１２ｂを設けた構成とし、帯状体２は、前記小開口部１１ａ，１１ｂと１２ａ，１２ｂから夫々延出させた構成としている。
【００５２】
ペット用胴輪Ｈを使用するときは、先ず、帯状体の中間部２３と胸当１の上部によって輪状になっている部分をペットの首部に掛け、次に、胸当１を胸部にあてがい、さらに、半部２４ａ，２４ｂの部分を背部側に回し、挿通部８に半部２４ａ，２４ｂの端部２４ａ１，２４ｂ１側を挿通し、環状体３２ａ，３２ｂと引き紐を直接に連結する。こうすることにより、胸当１は、ペットの胴回りの方向と交差する向きにスライド可能となるため、ペットの個体毎に胸部の位置が異なっても、胸当１を適切な位置に移動できる。
【００５３】
このように、本発明のペット用胴輪では、帯状体２は必ずしも２本の帯状部から構成されている必要はない。もっとも、ペットの体に対するフィット性に優れ、かつ、ペットへの装着が容易である点では、帯状体２は、第１及び第２実施例で示した帯状部２ａ，２ｂの構成とする方がより好ましい。
【００５４】
図１２は、本発明の第４実施例のペット用胴輪Ｈの全体構成を説明する図である。第４実施例において最も特徴的な構成は、胴輪Ｈが外れてペットが逃げ出してしまうトラブルをより確実に防止するために、胸当１の下端部に、ペットの胴部に巻き付けて胴輪Ｈを固定する帯状の腹帯９を取り付けた点である。図１２（ａ）は左右に延びた腹帯９の一方端９１付近の内面と他方端９２の外面に設けた面ファスナー９ａ，９ｂを係止した状態を、（ｂ）は面ファスナー９ａ，９ｂを分離した状態を示している。
【００５５】
図１３は、腹帯９の面ファスナー９ａ，９ｂを係止した状態における第４実施例の胴輪Ｈの左側面図（ａ）と、右側面図（ｂ）を示した図である。
【００５６】
例えば、第１実施例の胴輪Ｈの場合、万一、スライド式固定具４が緩んで帯状部２ａ，２ｂの間が大きく広がると、ペットが脱走する可能性が高くなる。これに対し、第４実施例では、図１４に示すように、胴輪Ｈはスライド式固定具４だけではなく、腹帯９でもペットＣの胴部に固定されているため、仮に、スライド式固定具４が緩んだ場合でも、ペットＣの脱走を防止できる。
【００５７】
面ファスナー９ｂは、図１２（ｂ）に示すように、面ファスナー９ａと比較して腹帯９の長手方向の幅を長くしており、ペットの胴回りのサイズに合わせて最適な位置で面ファスナー９ａ，９ｂを係止することができる。また、第４実施例の胴輪Ｈでは、スライド式固定具４と腹帯９でダブルブロックする構成としたので、これらを必要以上にきつく締め付ける必要がなく、ペットにかかる負担が少なくなる。
【００５８】
腹帯９は、図１２（ｂ）に示すように、両端９１，９２の部分と比較して中央部分は細幅としている。このような形状とする方が、ペットの体にフィットし、ペットの動きを妨げることもないので、好適である。また、デザイン上もスマートで、バランスの良いものとなる。
【００５９】
もっとも、第４実施例の胴輪Ｈを、身動きが困難となった高齢のペットの介護用として使用する場合は、腹帯９の中央部分の幅を図１２〜図１３に示す例のものよりもさらに太くし、ペットにかかる負担を極力軽減する方が好ましい。
【００６０】
第４実施例では、リード連結手段３のベルト部材３１は、ポリプロピレン、ナイロン、アクリルなどの材質からなる織りテープを使用した。織りテープからなるベルト部材３１は、必要な強度や耐久性は維持しつつ、適度な柔軟性が得られるので、例えばキャリーバッグに胴輪Ｈを入れる際でも、嵩張らずに収納しやすくなる。また、ベルト部材３１の軽量化が図れる。
【００６１】
また、第４実施例では、帯状部２ａ，２ｂを縫合して縫い合わせた接合部２１，２２のうち、片側の接合部２２に、図１３（ｂ）に示すように、アクセサリーやチャームなどを取り付けるための環状部材１０を設けた。環状部材１０は、図１５に示すように、ベルト部材３１の一端を折り返して縫合した輪状の先端部３３ａに取り付けている。環状部材１０の使い方はユーザの自由であり、ペットの名前を記載した名札や、ペットが迷子になったときの連絡先を記載した迷子札を取り付けても良い。
【００６２】
ベルト部材３１の先端部３３ａと、他方の先端部３３ｂは、帯状部２ａ，２ｂの接合部２１，２２と縫合される。また、ベルト部材３１のループ状になった中央部にはリードの金具と連結するためのリング部材５を、このリング部材５と先端部３３ａ，３３ｂの間には、所要の位置でベルト部材３１，３１間を挟持して固定するスライド式金具４を取り付けている。
【００６３】
なお、第２実施例の胴輪Ｈにおいて、ベルト部材３１の先端に反射体７を設ける構成を開示したが、第４実施例の胴輪Ｈにおいても、反射又は蓄光の機能を備えた生地からなる反射体をベルト部材３１の所要の位置に取り付けても良い。反射体を取り付けることで、夜間使用時の安全性が確保される。
【００６４】
図１６〜図１９は、第４実施例の胴輪Ｈの作成手順の一例を説明する図である。第４実施例の帯状部２ａは、二枚のデニム生地の間に芯材としてキルティングを一枚入れた構成とした。そして、これらの生地の端は、図１６に示すように、バイヤス生地２５でくるむようにして縫製し、パイピング処理を施した。なお、パイピング処理時に生地がずれないように、デニムとキルティングは予め縫いあわせておくようにした。また、パイピング処理の終端２６は、帯状部２ａの中央部に位置するようし、完成時に胸当１の内部に隠れて目立たないようにした。
【００６５】
第４実施例では、胸当１に用いる生地の上下端（図１７（ａ））や、腹帯９に用いる生地の端（図１７（ｂ））についても、バイヤス生地１８，９３でくるみ、パイピング処理を施した。
【００６６】
このように、第４実施例の胴輪Ｈでは、胸当１、帯状部２ａ，２ｂ，腹帯９の端部を、何れもパイピング仕様としたので、ペットの肌に当たる面を柔らかくすることができて、好適である。
【００６７】
また、第４実施例の胴輪Ｈでは、胸当１は、一枚の生地で制作し、完成時の厚みを薄くしたので、例えば第２実施例の胴輪Ｈと比較すると、ゴロツキ感が低減されると共に制作が容易となった。なお、後記のとおり、胸当１の左右の端部に弧状のサイドステッチを入れることで一定の強度が得られるので、一枚の生地であっても胸当１の形状が歪むことはない。
【００６８】
図１７（ｂ）は、胸当１に腹帯９を縫いつけた状態を示している。第４実施例では、符号９４で示すように、胸当１の下端より約５ミリ程度内側の位置で四角形状に縫合することにより、胸当１の下端部に腹帯９を取り付けている。
【００６９】
図１７（ｃ）〜（ｅ）は、胸当１と腹帯９を縫い付けた後、胸当１を制作する手順を説明する図である。胸当１は、先ず（ｃ）に示すように、胸当１の生地の左右両端を１５ｂの位置で縫い合わせ、次に（ｄ）に示すように、左右両サイドに窪みを付けるための弧状のステッチ１５ｃを入れて、その外側の部分１６を切除し、最後に（ｅ）に示すように、生地の表裏をひっくり返して制作する。
【００７０】
なお、第２実施例の胴輪Ｈと同様、胸当１の上下の開口部１１，１２は、１１ｃ，１２ｃの位置で縫合して２分し、小開口部１１ａ，１１ｂ，１２ａ，１２ｂを設けている。そして、図１８に示すように、胸当１の内部には、帯状部２ａ，２ｂを交差して挿通するようにしている。
【００７１】
その際、第４実施例では、帯状部２ａ，２ｂの交差部分２７で、帯状部２ａ，２ｂ同士を縫合して固定するようにしている。このようにすれば、帯状部２ａ，２ｂに対し胸当１が上下方向にスライド可能である点は維持しつつ、一方の帯状部２ａ又は２ｂだけが胸当１から移動してしまう問題点を回避できるので、好適である。
【００７２】
図１９は、左右の帯状部２ａ，２ｂを接合した接合部２１，２２の形状の違いを説明する図で、（ａ）は第１実施例の接合部２２、（ｂ）は第４実施例の接合部２２、（ｃ）は第４実施例の接合部２１の形状を示した図である。
【００７３】
第１実施例の胴輪Ｈの接合部２２では、その内側（胸当１が存在する側）のライン２８は、図１９（ａ）に示すように、例えば１００〜１３０°程度の角度で屈曲したラインとしている。これに対し、第４実施例の胴輪Ｈの接合部２２，２１の内側のライン２８は、図１９（ｂ），（ｃ）に示すように、例えば１５０〜１８０°の角度で直線に近いラインとなるようにし、ペットの前肢の肩を中心とした動きを、より妨げない形状とした。このように、ペットの前肢の動きを阻害しないという観点からは、第４実施例の接合部２１，２２のような形状とする方が好ましい。
【００７４】
なお、ペットは、最初は胴輪の着用を嫌がり、時間をかけることで徐々に慣れる場合があるが、このような胴輪の着用をトレーニング中のペットの場合、スライド式金具４は怪我の原因となり兼ねないので、できれば使用しない方が望ましい。この点、第４実施例の胴輪Ｈは、スライド式金具４を使用しなくても、ベルト部材３１，３１の内側面に面ファスナーを設けて係止すると共に、腹帯９の面ファスナー９ａ，９ｂを係止すれば、ある程度の確実さでペットの脱走を防止できる。よって、第４実施例の胴輪Ｈは、胴輪の着用にまだ慣れていないトレーニング中のペットに用いる胴輪としても適したものである。
【００７５】
以上の実施の形態を、各請求項に記載した構成とそれ以外の構成も含めてまとめると、以下の付記の通りである。
【００７６】
（付記１）
ペットの胸部にあてがう筒状の胸当と、前記胸当の内部に挿通する帯状体と、前記帯状体と引き紐を直接又は間接に連結するリード連結手段とを備え、前記胸当を前記帯状体に対してペットの胴回りの方向と交差する向きにスライド可能に取り付けたことを特徴とするペット用胴輪。
【００７７】
（付記２）
前記帯状体は夫々環状に形成された２本の帯状部からなり、これら帯状部の一部を前記胸当の内部に挿通すると共に、前記帯状部のペットの背部側となる位置に前記リード連結手段を取り付けたことを特徴とする付記１に記載のペット用胴輪。
【００７８】
（付記３）
前記帯状体は２本の帯状部からなり、これら帯状部を前記胸当内で交差して挿通すると共に、
前記胸当の一方の開口部から延出した一方の帯状部の端部と、他方の開口部から延出した他方の帯状部の端部を接合した接合部を夫々設け、
前記接合部に前記リード連結手段を取り付けたことを特徴とする付記１に記載のペット用胴輪。
【００７９】
（付記４）
前記胸当の両開口部を仕切って２分した小開口部を設け、前記帯状部は前記小開口部から夫々延出させたことを特徴とする付記２又は３に記載のペット用胴輪。
【００８０】
（付記５）
前記帯状部の両端部は、前記帯状部の中間部よりも幅広の形状としたことを特徴とする付記２又は３に記載のペット用胴輪。
【００８１】
（付記６）
前記リード連結手段は前記帯状体に取り付けたベルト部材からなり、前記ベルト部材同士を所要の位置で挟んで固定するスライド式固定具を備えたことを特徴とする付記１〜５の何れかに記載のペット用胴輪。
【００８２】
（付記７）
前記ベルト部材の内側面に面ファスナーを設けたことを特徴とする付記６に記載のペット用胴輪。
【００８３】
（付記８）
前記面ファスナーは、前記スライド式固定具を固定する予定位置の内面には設けないことを特徴とする付記７に記載のペット用胴輪。
【００８４】
（付記９）
カバー体に設けた孔に前記ベルト部材を挿通して前記スライド式固定具を覆うカバーを備えたことを特徴とする付記６〜８の何れかに記載のペット用胴輪。
【００８５】
（付記１０）
前記胸当は、中央部分の径が両開口部の径よりも小さく、前記中央部分が括れた形状としたことを特徴とする付記１〜９の何れかに記載のペット用胴輪。
【００８６】
（付記１１）
前記胸当の上方に、前記胸当の上下を判別するための装飾部を取り付けたことを特徴とする付記１〜１０の何れかに記載のペット用胴輪。
【００８７】
（付記１２）
前記帯状体は中間部でＵ字状に折り返されて両半部を前記胸当に挿通すると共に、これら半部の端部に、前記帯状体と引き紐と直接に連結するリード連結手段として環状体を夫々取り付け、前記中間部に前記半部の端部側を挿通する挿通部を設けたことを特徴とする付記１に記載のペット用胴輪。
【００８８】
（付記１３）
前記胸当の下端部に、ペットの胴部に巻き付けて固定する帯状の腹帯を取り付けたことを特徴とする付記１〜１２の何れかに記載のペット用胴輪。
【００８９】
（付記１４）
前記胸当、前記帯状部、前記腹帯の端部は、夫々パイピング処理を施したことを特徴とする付記１３に記載のペット用胴輪。
【００９０】
（付記１５）
前記胸当内で交差して挿通する２本の帯状部は、交差部分で帯状部同士を縫合して固定したことを特徴とする付記３に記載のペット用胴輪。
【００９１】
（付記１６）
前記接合部の内側のラインの角度は、１５０〜１８０°の範囲としたことを特徴とする付記３に記載のペット用胴輪。
【００９２】
本発明は上記の例に限らず、各請求項に記載された技術的思想の範疇であれば、適宜実施の形態を変更しても良いことは言うまでもない。
【産業上の利用可能性】
【００９３】
本発明のペット用胴輪は、実施例に示したように猫用の胴輪として利用できることは勿論、犬、うさぎ等のペットにも利用できる。
【符号の説明】
【００９４】
Ｈ    ペット用胴輪
１    胸当
１１  開口部
１１ａ，１１ｂ  小開口部
１２  開口部
１２ａ，１２ｂ  小開口部
２    帯状体
２１，２２  接合部
２ａ，２ｂ  帯状部
２ｃ，２ｄ  帯状部
３    リード連結手段
３１  ベルト部材
３ａ，３ｂ  面ファスナー
４  スライド式固定具
９  腹帯
Ｃ    ペット
【図１】
2011092183.tif 000003
【図２】
2011092183.tif 000004
【図３】
2011092183.tif 000005
【図４】
2011092183.tif 000006
【図５】
2011092183.tif 000007
【図６】
2011092183.tif 000008
【図７】
2011092183.tif 000009
【図８】
2011092183.tif 000010
【図９】
2011092183.tif 000011
【図１０】
2011092183.tif 000012
【図１１】
2011092183.tif 000013
【図１２】
2011092183.tif 000014
【図１３】
2011092183.tif 000015
【図１４】
2011092183.tif 000016
【図１５】
2011092183.tif 000017
【図１６】
2011092183.tif 000018
【図１７】
2011092183.tif 000019
【図１８】
2011092183.tif 000020
【図１９】
2011092183.tif 000021
【図２０】
2011092183.tif 000022
【図２１】
2011092183.tif 000023